(57)【特許請求の範囲】
【請求項１】
揮散成分を揮散する多数のビーズ状芳香剤を収容した容器本体の内部に空気の通り道を確保して、ビーズ状芳香剤の粒子間の間隙に空気を通過させながら揮散成分を揮散させる芳香剤容器であって、
前記容器本体と、前記容器本体の略４角形の開口面を覆って当該開口面との間に間隔を保持した状態で配置される、略４角形の正面形状を有する正面板を備えるカバー体とからなり、
前記容器本体は、前記開口面の開口周縁部にフランジを備える、略４角形の中空断面形状を有する凹箱部と、該凹箱部に収容される前記多数のビーズ状芳香剤と、前記フランジに接着されて前記開口面を覆って取り付けられる、シート側空気孔が形成された開口面被覆シートとを含んで構成され、
前記容器本体には、前記凹箱部の４方の側面部のうちの一つを主側面部として、当該主側面部に、前記開口面の前記シート側空気孔を介して導入又は導出される空気を導出又は導入する箱側空気孔が形成されていると共に、前記開口面と反対側の前記凹箱部の底面部と、前記主側面部と隣接する一方の側面部との接合角部分に、係着凹部が形成されており、
前記カバー体は、前記正面板と、前記正面板の周縁部に沿った、隣接する一対の角部を含む略Ｕ字形状部分から、後方に向けて斜め内側に張り出して設けられた張出し壁部と、前記略Ｕ字形状部分の両側の立上り部における前記張出し壁部の内側に隣接して各々設けられた、前記正面板と平行又は略平行に延設する当接面を有する間隔保持面部と、前記略Ｕ字形状部分の一方の立上り部に沿った前記正面板の辺部から後方に張り出して設けられた、先端部に係着凸部を備える板状張出し部とを含んで構成される芳香剤容器。
【請求項２】
前記主側面部の両側に隣接する側面部の前記フランジを、前記カバー体の前記間隔保持面部の当接面に後方から押し付けると共に、前記主側面部と反対側の側面部の前記フランジの端部を、前記略Ｕ字形状部分の底辺部の前記張出し壁部の内側に当接させ、且つ前記係着凹部に前記板バ状張出し部の係着凸部を係着させた状態で、前記容器本体が前記カバー体に着脱交換可能に装着される請求項１記載の芳香剤容器。
【請求項３】
少なくとも一方の前記間隔保持面部の前記略Ｕ字形状部分の底辺部とは反対側の端部から連続して、前記正面板の裏面に向けて斜めに延設するスロープ部が設けられている請求項１又は２に記載の芳香剤容器。
【請求項４】
前記略Ｕ字形状部分の底辺部の前記張出し壁部には、前記主側面部と対向する側面部の前記フランジの端部を、当該略Ｕ字形状部分の底辺部の前記張出し壁部の内側に当接させる際に、前記フランジを前記正面板に向けてスライド移動させる傾斜先端部を備えるガイドリブが設けられている請求項１〜３の何れか１項に記載の芳香剤容器。
【発明の詳細な説明】
【技術分野】
【０００１】
本発明は、芳香剤容器に関し、特に、揮散成分を揮散する多数のビーズ状芳香剤を収容した容器本体の内部に空気を通過させて使用する芳香剤容器に関する。
【背景技術】
【０００２】
芳香剤、消臭剤等の薬剤を吸収したビーズ状（粒状）のゲルを収容して、揮散成分を揮散させる容器が種々開発されている（例えば、特許文献１参照）。ビーズ状のゲルによる芳香剤、消臭剤等の薬剤（以下「ビーズ状芳香剤」とする）は、一般に揮散成分を揮散しつつ界面活性剤や溶剤等の水分を分離させるものであり、分離した水分が容器の外に漏れ出ないようにする必要がある。このため、ビーズ状芳香剤を収容した容器では、揮散開口を容器の上部（天面部）に設けて揮散成分を揮散させるようになっている。
【先行技術文献】
【特許文献】
【０００３】
【特許文献１】特開２００７−１７５３１０号公報
【発明の概要】
【発明が解決しようとする課題】
【０００４】
ビーズ状芳香剤は、多数積み上げて容器に収容された場合でも、内部の粒子間に間隙が保持された状態となるので、これらの間隙を空気が通過するようにすれば、粒子間の間隙に面したビーズ状芳香剤の揮散面を効率良く利用して、さらに効果的に揮散成分を揮散させることができるものと考えられるが、上記従来のビーズ状芳香剤を用いた芳香剤容器では、容器の天面部にしか揮散開口が形成されていないため、粒子間の間隙を通過する空気の通り道を形成することが難しく、ビーズ状芳香剤の特性を利用してさらに効果的に揮散成分を揮散させることが困難である。
【０００５】
一方、ビーズ状芳香剤の粒子間の間隙を通過する空気の通り道を形成するには、例えば容器の少なくとも２面に空気流通用の開口部を設けて、一方の開口部から容器内に空気を導入すると共に、他方の開口部から空気を導出させるようにすることが考えられるが、単に、空気導入用の開口部と、空気導出用の開口部を設けただけでは、揮散成分の揮散が進みすぎて、例えばビーズ状芳香剤による香りが強くなりすぎたり、香りの持続時間を十分に確保することが困難になる。また、容器内に空気の通り道を形成した場合でも、揮散成分を揮散させる空気導出用の開口部は、容器の上部に配置されるほうが揮散成分を効果的に揮散させる上で望ましい。
【０００６】
本発明は、容器に収容されたビーズ状芳香剤の粒子間の間隙を通過する空気の通り道を形成して、ビーズ状芳香剤から効率良く揮散成分を揮散させることができると共に、揮散成分の揮散を効果的に抑制して、例えば香りの持続時間を十分に確保することができ、また空気導出用の開口部が、容器の上部に配置されるように誘導することのできる芳香剤容器を提供することを目的とする。
【０００７】
なお本明細書中では、芳香剤には、消臭剤及び消臭芳香剤も含むものとする。また、カバー体には、容器本体の全体を収容する箱状の外容器を含まないものとする。
【課題を解決するための手段】
【０００８】
本発明は、揮散成分を揮散する多数のビーズ状芳香剤を収容した容器本体の内部に空気の通り道を確保して、ビーズ状芳香剤の粒子間の間隙に空気を通過させながら揮散成分を揮散させる芳香剤容器であって、前記容器本体と、前記容器本体の略４角形の開口面を覆って当該開口面との間に間隔を保持した状態で配置される、略４角形の正面形状を有する正面板を備えるカバー体とからなり、前記容器本体は、前記開口面の開口周縁部にフランジを備える、略４角形の中空断面形状を有する凹箱部と、該凹箱部に収容される前記多数のビーズ状芳香剤と、前記フランジに接着されて前記開口面を覆って取り付けられる、シート側空気孔が形成された開口面被覆シートとを含んで構成され、前記容器本体には、前記凹箱部の４方の側面部のうちの一つを主側面部として、当該主側面部に、前記開口面の前記シート側空気孔を介して導入又は導出される空気を導出又は導入する箱側空気孔が形成されていると共に、前記開口面と反対側の前記凹箱部の底面部と、前記主側面部と隣接する一方の側面部との接合角部分に、係着凹部が形成されており、前記カバー体は、前記正面板と、前記正面板の周縁部に沿った、隣接する一対の角部を含む略Ｕ字形状部分から、後方に向けて斜め内側に張り出して設けられた張出し壁部と、前記略Ｕ字形状部分の両側の立上り部における前記張出し壁部の内側に隣接して各々設けられた、前記正面板と平行又は略平行に延設する当接面を有する間隔保持面部と、前記略Ｕ字形状部分の一方の立上り部に沿った前記正面板の辺部から後方に張り出して設けられた、先端部に係着凸部を備える板状張出し部とを含んで構成される芳香剤容器を提供することにより、上記目的を達成したものである。
【発明の効果】
【０００９】
本発明の芳香剤容器によれば、容器に収容されたビーズ状芳香剤の粒子間の間隙を通過する空気の通り道を形成して、ビーズ状芳香剤から効率良く揮散成分を揮散させることができると共に、揮散成分の揮散を効果的に抑制して、例えば香りの持続時間を十分に確保することができ、また空気導出用の開口部が、容器の上部に配置されるように誘導することができる。
【図面の簡単な説明】
【００１０】
【図１】本発明の好ましい一実施形態に係る芳香剤容器の、（ａ）は斜め前方から見た斜視図、（ｂ）は斜め後方から見た斜視図である。
【図２】本発明の好ましい一実施形態に係る芳香剤容器の、カバー体を透視した状態で示す側面図である。
【図３】（ａ）は容器本体の構成を説明する分解斜視図、（ｂ）は容器本体の斜視図である。
【図４】カバー体を斜め後方から見た斜視図である。
【図５】容器本体を他の形態のカバー体に装着した芳香剤容器の、（ａ）は斜め前方から見た斜視図、（ｂ）は斜め後方から見た斜視図である。
【図６】容器本体を他の形態のカバー体に装着した芳香剤容器の、カバー体を透視した状態で示す側面図である。
【図７】他の形態のカバー体を斜め後方から見た斜視図である。
【図８】カバー体のさらに他の形態を例示する斜め後方から見た斜視図である。
【発明を実施するための形態】
【００１１】
本発明の好ましい一実施形態に係る芳香剤容器１０は、図１（ａ），（ｂ）及び図２に示すように、例えば球形粒状のゲルからなるビーズ状芳香剤１２（図３（ａ）参照）を凹箱部１３に多数収容した容器本体１１と、容器本体１１の開口面１１ａを覆って着脱可能に装着されるカバー体１４とを含んで構成される。本実施形態の芳香剤容器１０は、ビーズ状芳香剤１２から揮散される揮散成分を、容器本体１１の開口面１１ａに形成されたシート側空気孔１５（図３（ｂ）参照）と、容器本体１１の凹箱部１３の主側面部１７ａに形成された箱側空気孔１６とを介して容器本体１１の内部を通過する空気によって、外部に揮散させて芳香作用を発揮させる。また、本実施形態の芳香剤容器１０は、カバー体１４の正面板２０を側方に向けると共に、容器本体１１の凹箱部１３の箱側空気孔１６が形成された主側面部１７ａを上部に配置して、縦置きにした状態で使用されるように使用者を誘導することで、ビーズ状芳香剤１２から揮散される揮散成分を効率良く揮散させる機能を備える。さらに、本実施形態の芳香剤容器１０は、ビーズ状芳香剤１２からの揮散成分の揮散を効果的に抑制して、例えばビーズ状芳香剤１２による香りが強くなりすぎたり、香りの持続時間を十分に確保できなくなるのを回避する機能を備える。
【００１２】
そして、本実施形態の芳香剤容器１０は、揮散成分を揮散する多数のビーズ状芳香剤１２を収容した容器本体１１の内部に空気の通り道を確保して、ビーズ状芳香剤１２の粒子間の間隙に空気を通過させながら揮散成分を揮散させる容器であって、容器本体１１と、容器本体１１の略４角形の開口面１１ａ（凹箱部１３の天面開口部１３ａ）の全体を覆って当該開口面１１ａとの間に間隔を保持した状態で配置される、略４角形の正面形状を有する正面板２０を備えるカバー体１４とからなる。
【００１３】
容器本体１１は、図３（ａ）、（ｂ）にも示すように、開口面１１ａの開口周縁部から開口面１１ａと平行又は略平行に外側に突出して設けられた帯状のフランジ１８を備える、略４角形の中空断面形状を有する凹箱部１３と、凹箱部１３に収容される多数のビーズ状芳香剤１２と、フランジ１８に接着されて開口面１１ａを覆って取り付けられる、シート側空気孔１５が形成された開口面被覆シート１９とを含んで構成される。容器本体１１には、凹箱部１３の４方の側面部１７ａ，１７ｂ，１７ｃのうちの一つを主側面部１７ａとして、当該主側面部１７ａに、開口面１１ａのシート側空気孔１５を介して導入又は導出される空気を導出又は導入する箱側空気孔１６が形成されていると共に、開口面１１ａと反対側の凹箱部１３の底面部１３ｂと、主側面部１７ａと隣接する一方の側面部１７ｂとの接合角部分に、係着凹部２１が形成されている。
【００１４】
カバー体１４は、図４にも示すように、正面板２０と、正面板２０の周縁部に沿った、隣接する一対の角部２０ａを含む略Ｕ字形状部分２２から、後方に向けて斜め内側に張り出して設けられた張出し壁部２３と、略Ｕ字形状部分２２の両側の立上り部２２ａにおける張出し壁部２３ａの内側に隣接して各々設けられた、正面板２０と平行又は略平行に延設する当接面２４ａを有する間隔保持面部としての間隔保持プレート部２４と、略Ｕ字形状部分２２の一方の立上り部２２ａに沿った正面板２０の辺部２０ｂから後方に張り出して設けられた、先端部に係着凸部２５を備える板状張出し部２６とを含んで構成される。
【００１５】
図１（ａ）、（ｂ）及び図２に示すように、主側面部１７ａの両側に隣接する側面部１７ｂのフランジ１８を、カバー体１４の間隔保持プレート部２４に後方から押し付けると共に（図２参照）、主側面部１７ａと対向するこれと反対側の側面部１７ｃのフランジ１８の端部（下端部）１８ａを、略Ｕ字形状部分２２の底辺部２２ｂの張出し壁部２３ｂの内側に当接させ、且つ係着凹部２１に板状張出し部２６の係着凸部２５を係着させた状態で、容器本体１１がカバー体１４に着脱交換可能に装着される。
【００１６】
また、本実施形態では、図２及び図４に示すように、カバー体１４の少なくとも一方の間隔保持プレート部２４の、正面板２０の略Ｕ字形状部分２２の底辺部２２ｂとは反対側の端部から連続して、正面板２０の裏面に向けて斜めに延設するスロープ部２７が設けられている。
【００１７】
さらに、本実施形態では、図４に示すように、正面板２０の略Ｕ字形状部分２２の底辺部２２ｂの張出し壁部２３ｂには、容器本体１１の主側面部１７ａと対向する反対側の側面部１７ｃのフランジ１８の端部１８ａを、当該略Ｕ字形状部分２２の底辺部２２ｂの張出し壁部２３ｂの内側に当接させる際に、フランジ１８を正面板２０に向けてスライド移動させる傾斜先端部２８ａを備えるガイドリブ２８が設けられている。
【００１８】
本実施形態では、容器本体１１の凹箱部１３は、好ましくは合成樹脂製の成形品であって、図３（ａ）、（ｂ）に示すように、略４角形の中空断面形状として、角部が弧状に面取りされた略正方形の中空断面形状を備える箱形状に形成される。また凹箱部１３は、略正方形の底面部１３ｂと、底面部１３ｂの周縁部から上方に連続して立設する４方の側面部１７ａ，１７ｂ，１７ｃとからなる。これらの側面部１７ａ，１７ｂ，１７ｃは、底面部１３ｂの弧状に面取りされた角部に沿って立設する湾曲接続部１７ｄを介して一体として接続している。またこれらの側面部１７ａ，１７ｂ，１７ｃは、湾曲接続部１７ｄと共に上方に向けて外側にやや傾いた状態で立設している。これらの側面部１７ａ，１７ｂ，１７ｃ及び湾曲接続部１７ｄの上端の、フランジ１８によって縁取りされた凹箱部１３の天面開口部１３ａが、容器本体１１の開口面１１ａを形成するようになっている。この天面開口部１３ａによる容器本体１１の開口面１１ａは、凹箱部１３にビーズ状芳香剤１２を収容した後に、フランジ１８に、多数のシート側空気孔１５が形成された開口面被覆シート１９が貼着されることによって覆われることになる。
【００１９】
また、本実施形態では、容器本体１１の凹箱部１３の４方の側面部１７ａ，１７ｂ，１７ｃのうちの一つを主側面部１７ａとして、この主側面部１７ａに例えば細長い長円形状の箱側空気孔１６が、長軸方向を平行に配置して複数開口形成されている。箱側空気孔１６は、複数設ける必要は必ずしも無く、１箇所にのみ設けることもできる。箱側空気孔１６は、芳香剤容器１０が使用される前は、例えば当該箱側空気孔１６を覆って合成樹脂製の貼着シート（図示せず）を剥離可能に主側面部１７ａに貼り付けておくことで、容易に閉塞しておくことができる。この貼着シートを芳香剤容器１０の使用時に主側面部１７ａから引き剥がすことによって、箱側空気孔１６を開放することができる。
【００２０】
さらに、本実施形態では、容器本体１１の凹箱部１３の主側面部１７ａとは反対側の、使用時に下部に配置される側面部１７ｃと、底面部１３ｂとの接合角部分は、載置底辺部１３ｃ（図１（ｂ）、図２参照）として用いられて、カバー体１４の略Ｕ字形状部分２２の底辺部２２ｂの張出し壁部２３ｂと共に、芳香剤容器１０を被載置面４０に安定した状態で載置させるための載置部として機能するようになっている。
【００２１】
さらにまた、本実施形態では、容器本体１１の凹箱部１３の底面部１３ｂと、主側面部１７ａと隣接する一方の側面部１７ｂとの接合角部分には、図１（ｂ）及び図２に示すように、係着凹部２１が形成されている。本実施形態では、係着凹部２１は、底面部１３ｂと一方の側面部１７ｂとの接合角部分に沿って延設すると共に、一方の端部を主側面部１７ａに開放させ、他方の端部を当該接合角部分の略中央部分で終端させた、略矩形断面形状を備える切り欠き溝として形成されている。この係着凹部２１には、容器本体１１をカバー体１４に装着する際に、カバー体１４の板状張出し部２６の係着凸部２５が係着される。
【００２２】
容器本体１１の開口面１１ａを覆って取り付けられる開口面被覆シート１９は、図３（ａ），（ｂ）に示すように、例えば合成樹脂製の透明なシート材料からなり、ビーズ状芳香剤１２の外形よりも相当程度小さな開口幅を有するシート側空気孔１５が、開口面１１ａを覆う領域に分散配置されて多数開口形成されている。開口面被覆シート１９は、接着剤等を介して、又はヒートシールを施すことによって、周縁部が容器本体１１のフランジ１８に強固に接着固定される。開口面被覆シート１９は、芳香剤容器１０が使用される前は、例えば当該開口面被覆シート１９を覆って合成樹脂製の貼着シート（図示せず）を剥離可能に貼り付けておくことで、容易にシート側空気孔１５を閉塞しておくことができる。この貼着シートを芳香剤容器１０の使用時に引き剥がすことによって、シート側空気孔１５を開放することができる。
【００２３】
本実施形態では、カバー体１４は、好ましくは合成樹脂製の成形品であって、図１（ａ）、（ｂ）、図２、及び図４に示すように、略４角形の正面形状を備える正面板１７と、正面板２０の周縁部から後方に向けて斜め内側に張り出して設けられた張出し壁部２３と、略Ｕ字形状部分２２の立上り部２２ａの張出し壁部２３ａの内側に隣接して設けられた間隔保持プレート部２４と、正面板２０の一方の辺部２０ｂから後方に張り出して設けられた板状張出し部２６とを含んで構成される。カバー体１４は、金属、木、紙、パルプ、ガラス、陶器等を用いて形成することもできる。
【００２４】
正面板１７は、本実施形態では、略４角形の正面形状として、略正方形の環状に配置された容器本体１１のフランジ１８よりも一回り大きな、平面視して角部が弧状に面取りされた略正方形の正面形状を備える。また、正面板１７は、芳香剤容器１０を縦置きに載置した使用時における縦方向の断面が、外側に向けて緩やかな弧状の凸に湾曲する湾曲板となっている。
【００２５】
張出し壁部２３は、本実施形態では、正面板２０の周縁部の隣接する一対の角部を含む略Ｕ字形状部分２２として、芳香剤容器１０の使用時に下部に配置される一対の角部２０ａを含む、略正方形の正面板２０の略下半部分の周縁部の略全体から、後方に張り出して設けられている。本実施形態では、張出し壁部２３は、外側に向けて凸の緩やかな弧状に湾曲しながら、後方に向けて、容器本体１１の凹箱部１３の側面部１７ａ，１７ｂ，１７ｃの高さの略半分程度の張出し長さで設けられている。また張出し壁部２３は、その全周に亘って、後方に向けて例えば０〜２０°、好ましくは５〜１２°程度の傾斜角度で斜め内側に傾斜して設けられている。張出し壁部２３が斜め内側に張り出して設けられていることにより、張出し壁部２３が後方に張し出していないカバー体１４の上部側から、カバー体１４に容器本体１１がスムースに装着されるように誘導することが可能になると共に、装着された容器本体１１が、開口面１１ａをカバー体１４の正面板２０と近接させた装着状態から、後方に向けて引き出され難くすることが可能になる。
【００２６】
間隔保持プレート部２４は、本実施形態では、正面板２０の略下半部分の周縁部に沿った略Ｕ字形状部分２２の、両側の立上り部２２ａの張出し壁部２３ａの内側面から、容器本体１１の凹箱部１３のフランジ１８の幅よりも僅かに広い突出幅で内側に各々突出すると共に、当該内側面に沿って、正面板２０と平行又は略平行に配設されて相当の長さで縦方向に延設して設けられている。また、本実施形態では、間隔保持プレート部２４は、その一方の端部（下端部）を、略Ｕ字形状部分２２の立上り部２２ａと底辺部２２ｂとの間の、フランジ１８の弧状に面取りされた角部と同様の曲率を備える弧状接合部の張出し壁部２３ｃの内側面に接合させると共に、その他方の端部（上端部）に、スロープ部２７を連設させた状態で設けられている。間隔保持プレート部２４は、これの後方から容器本体１１のフランジ１８を当接面２４ａに当接させることで、開口面被覆シート１９によって覆われた容器本体１１の開口面１１ａと、カバー体１４の正面板２０との間に空気流通用の間隔部分３０を保持させる（図２参照）。
【００２７】
スロープ部２７は、間隔保持プレート部２４の上端部である、正面板２０の周縁部の略下半部分に沿った略Ｕ字形状部分２２の底辺部２２ｂとは反対側の端部から、当該間隔保持プレート部２４と連続して設けられる。スロープ部２７は、間隔保持プレート部２４と同様の幅で、両側の立上り部２２ａの張出し壁部２３ａの内側面から各々内側に突出すると共に、正面板２０の裏面に向けて緩い勾配で斜めに延設して、その上端部が折れ曲がるようにして正面板２０の内側面に接合された状態で設けられている。間隔保持プレート部２４の上端部に連続してスロープ部２７が設けられていることにより、カバー体１４に容器本体１１を上方から装着する際に、容器本体１１のフランジ１８が、正面板２０と間隔保持プレート部２４との間に誤って差し込まれるのを効果的に回避できると共に、正面板２０と間隔保持プレート部２４との間に差し込まれようとしたフランジ１８を、傾斜面に沿って間隔保持プレート部２４の後方に移動させるようにガイドすることが可能になる。
【００２８】
また、本実施形態では、図４に示すように、正面板２０の略Ｕ字形状部分２２の底辺部２２ｂの張出し壁部２３ｂには、これの内側面から上方に突出して、補強リブ２９とガイドリブ２８とが設けられている。補強リブ２９は、正面板２０と平行に延設すると共に、底辺部２２ｂの張出し壁部２３ｂを横断して設けられている。ガイドリブ２８は、補強リブ２９の中央部分を挟んだ両側に、補強リブ２９と直角に交差する方向に延設して、補強リブ２９と同様の高さで一対設けられている。ガイドリブ２８は、正面板２０と近接する側の先端部を、両側の間隔保持プレート部２４の下端部後面を結ぶ線分から、容器本体１１のフランジ１８の肉厚分離れた位置に配置した状態で設けられている。また、ガイドリブ２８の正面板２０と近接する側の先端部分には、外側に向けて凸に湾曲しながら傾斜する傾斜先端部２８ａが設けられている。
【００２９】
正面板２０の略Ｕ字形状部分２２の底辺部２２ｂの張出し壁部２３ｂに補強リブ２９が設けられていることにより、当該張出し壁部２３ｂを効果的に補強して、これの剛性を高めることが可能になる。また、傾斜先端部２８ａを備えるガイドリブ２８が設けられていることにより、容器本体１１をカバー体１４に上方から装着して、主側面部１７ａと反対側の側面部１７ｃのフランジ１８の端部１８ａを、底辺部２２ｂの張出し壁部２３ｂの内側に当接させる際に、ガイドリブ２８の傾斜先端部２８ａに沿わせるようにして、当該フランジ１８の端部１８ａを正面板２０に向けて前方に僅かにスライド移動させることが可能になる。これによって、当該フランジ１８の端部１８ａを、両側の間隔保持プレート部２４の後面とガイドリブ２８の先端部との間に挟み込むようにして位置め決して、より安定した状態で容器本体１１をカバー体１４に装着することが可能になる。
【００３０】
さらに、本実施形態では、正面板２０の略Ｕ字形状部分２２の底辺部２２ｂの張出し壁部２３ｂから、弧状接合部の張出し壁部２３ｃにかけて、間隔保持プレート部２４の前方側の部分に、通気用の開口窓３１が切欠き形成されている。間隔保持プレート部２４の前方側の部分の張出し壁部２３に通気用の開口窓３１が形成されていることにより、開口面被覆シート１９によって覆われた容器本体１１の開口面１１ａと、カバー体１４の正面板２０との間の空気流通用の間隔部分３０の全体に、さらに効率良く空気を流通させることが可能になる。
【００３１】
板状張出し部２６は、本実施形態では、図１（ｂ）、図２、及び図４に示すように、正面板２０の周縁部の略Ｕ字形状部分２２の、一方の立上り部２２ａに沿った正面板２０の辺部２０ｂから後方に板バネ状に張り出して設けられている。板状張出し部２６は、その基部２６ａを、一方の立上り部２２ａの張出し壁部２３ａの上端部に一体接合すると共に、その張出し本体部１６ｂを、基部２６ａから片持ち梁形状にさらに後方に張り出した状態で設けられている。板状張出し部２６の特に張出し本体部２６ｂは、弾性変形可能な板として機能することができ、例えば外側に押し拡げるように曲折させることで、容器本体１１をカバー体１４に上方から装着する際に、先端の係着凸部２５が邪魔にならないようにすることができる。また外側に押し拡げた状態を解除することで、その弾性復元力により元の状態に戻ろうとして、装着された容器本体１１の係着凹部２１に先端の係着凸部２５を係着させることができるようになっている。
【００３２】
板状張出し部２６の先端部に設けられた係着凸部２５は、張出し本体部２６ｂの先端部から直角内側に折れ曲がって、係着凹部２１の幅よりも僅かに短い突出長さで突出すると共に、斜辺部分２５ａが外側に向けて凸に湾曲する略直三角形状の突出片として設けられている。係着凸部２５は、間隔保持プレート部２４に後方からフランジ１８を密着当接させた状態で、カバー体１４に容器本体１１が装着された際に、当該係着凸部２５の内側面が係着凹部２１の段差係着面２１ａに係着又は近接して配置されるような位置に設けられている。
【００３３】
係着凸部２５が斜辺部分２５ａを斜め上方に向けた略直角台形状の突出片となっていることにより、主側面部１７ａを上部に配設して、容器本体１１をカバー体１４に上方から装着する際に、係着凸部２５は、例えば板状張出し部２６を手の指で外側に押し拡げなくても、主側面部１７ａと隣接する係着凹部２１が形成された一方の側面部１７ｂの、当該係着凹部２１よりも下方の部分に、板状張出し部２６を外側に押し拡げるようにしながら斜辺部分２５ａを介してスムーズに乗り上がることが可能になる。一方の側面部１７ｂに乗り上がった係着凸部２５は、略直三角形状の底辺部２５ｂが、押し拡げられた板バネの板状張出し部２６の弾性復元力によって係着凹部２１に落ち込むまで、当該一方の側面部１７ｂに沿ってスライド移動する。係着凹部２１に落ち込んで当該係着凹部２１に係着された係着凸部２５は、略直三角形状の底辺部２５ｂが係着凹部２１の終端部２１ｂに係止されることで、ストッパーとして機能する。これによって、装着された容器本体１１がカバー体１４から脱落するのを効果的に回避することが可能になる。
【００３４】
板状張出し部２６の係着凸部２５よりもさらに先端側には、指掛けつば部３２が設けられている。指掛けつば部３２に指を係止することで、容器本体１１をカバー体１４から取り外す際に、板状張出し部２６の張出し本体部２６ｂを外側に押し拡げて係着凸部２５の係着状態を解除する操作を、スムーズに行うことが可能になる。
【００３５】
上述の構成を備える本実施形態の芳香剤容器１０によれば、主側面部１７ａを上部に配設して、容器本体１１を、カバー体１４の略下半部分に設けられた張出し壁部２３に向けて、上方から着脱交換可能に装着することで、容器本体１１とカバー体１４とを容易に一体化することができる。しかる後に、容器本体１１の下部に配置される側面部１７ｃと底面部１３ｂとの接合角部分による載置底辺部１３ｃと、カバー体１４の略Ｕ字形状部分２２の底辺部２２ｂの張出し壁部２３ｂとを載置部として、カバー体１４の正面板２０を側方に向け、且つ容器本体１１の主側面部１７ａを上部に配置することで縦置きにした状態で、芳香剤容器１０を被載置面４０に載置する。これによって、芳香剤容器１０を、例えば、棚、テーブル、床、等の被載置面４０に安定した状態で載置して使用することができる。
【００３６】
そして、本実施形態の芳香剤容器１０によれば、容器本体１１に収容されたビーズ状芳香剤１２の粒子間の間隙を通過する空気の通り道を形成して、ビーズ状芳香剤１２から効率良く揮散成分を揮散させることが可能になると共に、揮散成分の揮散を効果的に抑制して、例えば香りの持続時間を十分に確保することが可能になり、また空気導出用の開口部としての箱側空気孔１６が、芳香剤容器１０の使用時に上部に配置されるように容易に誘導することが可能になる。
【００３７】
すなわち、本実施形態によれば、芳香剤容器１０は、縦置きされた状態で横方向を向いた容器本体１１の開口面１１ａのシート側空気孔１５と、上部に配置された容器本体１１の主側面部１７ａの箱側空気孔１６とを介して、容器本体１１の内部に空気を容易に通過させることが可能になるので、容器本体１１に収容されたビーズ状芳香剤１２の粒子間の間隙を通過する空気の通り道を容易に形成して、ビーズ状芳香剤１２から効率良く揮散成分を揮散させることが可能になる。
【００３８】
また、本実施形態の芳香剤容器１０によれば、容器本体１１の開口面１１ａの全体を覆って当該開口面１１ａとの間に間隔部分３０を保持した状態で、カバー体１４の正面板２０が配置されている。正面板２０は、開口面１１ａの全体を覆って配置されることで、開口面１１ａに向かう気流を遮蔽したり、制限したりして揮散成分の揮散を制御できるものと考えられる。これによって、例えば容器本体１１の開口面１１ａに向う空気の流れを正面板２０によって遮断して、シート側空気孔１５から直接的に勢い良く空気が容器本体１１の内部に導入されるのを回避できると共に、正面板２０の裏側の間隔部分３０に回り込むようにして、間接的に流入した勢いの衰えた空気のみを、開口面１１ａのシート側空気孔１５から容器本体１１の内部に導入できるようになっているので、例えばビーズ状芳香剤１２による香りが強くなりすぎたり、香りの持続時間を十分に確保できなくなるのを効果的に回避することが可能になる。
【００３９】
さらに、本実施形態の芳香剤容器１０によれば、容器本体１１の主側面部１７ａと隣接する、一方の側面部１７ｂと底面部１３ｂとの接合角部分に形成された係着凹部２１に、カバー体１４の正面板２０の略Ｕ字形状部分２２の、一方の立上り部２２ａに沿った辺部２０ｂに設けられた板状張出し部２６の係着凸部２５を係着させることで、容器本体１１がカバー体１４に装着されるようになっている。したがって、箱側空気孔１６が形成された主側面部１７ａを上部に配設した状態で、容器本体１１を、カバー体１４の略下半部分に設けられた張出し壁部２３に向けて上方から装着することができるようになっている。また、容器本体１１がカバー体１４に装着された状態では、容器本体１１の主側面部１７ａとは反対側の、正面板２０の略Ｕ字形状部分２２の底辺部２２ｂの張出し壁部２３ｂを載置部として下部に配置することで、芳香剤容器１０を縦置きして安定した状態で被載置面４０に載置することができるようになっている。
【００４０】
これらによって、本実施形態の芳香剤容器１０によれば、正面板２０を側方に向け、且つ主側面部１７ａを上部に配置して縦置きにした状態で使用されるように、使用者を容易に誘導することが可能になると共に、ビーズ状芳香剤１２から揮散される揮散成分を、容器１０の上部に配置された箱側空気孔１６等から効果的に且つ効率良く揮散させることが可能になる。
【００４１】
さらにまた、本実施形態によれば、容器本体１１の開口面１１ａを覆う開口面被覆シート１９に形成されたシート側空気孔１５のうち、縦置きした状態で最も下側に配置されるシート側空気孔１５よりも下方の部分が、ビーズ状芳香剤１２から分離した水分を液溜めする液溜り部として機能するので、ビーズ状芳香剤１２から分離した水分が容器本体１１の外に漏れ出るのを効果的に回避することも可能になる。
【００４２】
また、本実施形態によれば、カバー体１４の正面板２０の大きな表面を、デザイン画、広告及び説明書き等を施すための装飾面として有効に利用して、芳香剤容器１０の意匠性をさらに向上させることも可能になる。
【００４３】
図５（ａ）、（ｂ）及び図６は、容器本体１１を他の形態のカバー体１４’に装着した芳香剤容器１０’を示すものである。図５（ａ）、（ｂ）及び図６に示す芳香剤容器１０’では、カバー体１４’は、好ましくは合成樹脂製の成形品であって、図５（ａ）、（ｂ）、図６、及び図７に示すように、略４角形の正面形状を備える正面板２０と、正面板２０の周縁部に沿った、隣接する一対の角部２０ａを含む略Ｕ字形状部分２２から、後方に向けて斜め内側に張り出して設けられた張出し壁部２３と、略Ｕ字形状部分２２の両側の立上り部２２ａにおける張出し壁部２３ａの内側に隣接して各々設けられた、正面板２０と平行又は略平行に延設する当接面２４ａを有する間隔保持面部２４と、略Ｕ字形状部分２２の一方の立上り部２２ａに沿った正面板２０の辺部から後方に張り出して設けられた、先端部に係着凸部２５を備える板状張出し部２６とを含んで構成される。
【００４４】
正面板２０は、本実施形態では、１枚のプレート部材からなり、略４角形の正面形状として、略正方形の環状に配置された容器本体１１のフランジ１８よりも一回り大きな、平面視して角部が弧状に面取りされた略正方形の正面形状を備える。これによって、正面板２０は、その表面に、着色、デザイン画、写真画、広告、説明書き等の装飾を施すのに適した、適度な大きさ及び形状の装飾面２０ｂを形成することができる。
【００４５】
張出し壁部２３は、正面板２０の略Ｕ字形状部分２２から後方に向けて張り出すように延設すると共に、略Ｕ字形状部分２２の周方向に連続して、例えば容器本体１１の凹箱部１３の側面部１７ａ，１７ｂ，１７ｃの高さよりも若干小さな張出し長さで設けられている。張出し壁部２３は、その全周に亘って、後方に向けて例えば０〜２０°程度、好ましくは５〜１２°程度の傾斜角度で斜め内側に傾斜して設けられている。張出し壁部２３が斜め内側に傾斜して設けられていることにより、張出し壁部２３が後方に張し出していないカバー体１４’の上部側から装着された容器本体１１が、開口面１１ａをカバー体１４’の正面板２０と近接させた装着状態から、後方に向けて引き出されないようにすることが可能になる。また、略Ｕ字形状部分２２の底辺部２２ｂの張出し壁部２３ｂを載置部として、例えば、棚、テーブル、床、等の被載置面４０に芳香剤容器１０’を載置した際に（図６参照）、側方に向けたカバー体１４の正面板２０の装飾面となっている表面を、斜め上方に傾けさせて、人の視覚に入りやすいようにすることが可能になる。
【００４６】
また、略Ｕ字形状部分２２の両側の立上り部２２ｂにおける張出し壁部２３ａの内側に隣接して、図６に示すように、間隔保持面部２４が各々設けられている。
【００４７】
間隔保持面部２４は、略Ｕ字形状部分２２の両側の立上り部２２ａにおける張出し壁部２３ａの内側面から、容器本体１１の凹箱部１３のフランジ１８の幅と略同様の突出幅で内側に各々突出すると共に、当該内側面に沿って、正面板２０と平行又は略平行に配設されて相当の長さで縦方向に延設して設けられている。間隔保持面部２４は、その一方の端部（下端部）を、略Ｕ字形状部分２２の立上り部２２ａと底辺部２２ｂとの間の弧状接合部２２ｃの張出し壁部２３ｃの内側面に接合させると共に、その他方の端部（上端部）に、スロープ部２７を連設させた状態で設けられている。間隔保持面部２４は、これの後側の面を当接面２４ａとして、後方から容器本体１１のフランジ１８を押し当てさせることで、開口面被覆シート１９によって覆われた容器本体１１の開口面１１ａと、カバー体１４’の正面板２０との間に空気流通用の間隔部分３０を保持させることが可能になる（図６参照）。
【００４８】
スロープ部２７は、間隔保持面部２４の上端部に連設すると共に、正面板２０の裏面に向けて緩い勾配で斜めに延設して、その上端部を、正面板２０の裏面に接合させた状態で設けられている。間隔保持面部２４の上端部に連続してスロープ部２７が設けられていることにより、カバー体１４に容器本体１１を上方から装着する際に、容器本体１１のフランジ１８が、正面板２０と間隔保持面部２４との間に誤って差し込まれるのを効果的に回避することができる。またスロープ部２７が設けられていることにより、正面板２０と間隔保持面部２４との間の部分に向けて差し込まれたフランジ１８を、スロープ部２７に沿って間隔保持面部２４の後方にスライド移動させるようにガイドすることが可能になる。
【００４９】
カバー体１４’には、さらに、略Ｕ字形状部分２２の底辺部２２ｂの張出し壁部２３ｂに、これの内側面から上方に突出して、一対のガイドリブ２８が設けられている。ガイドリブ２８は、底辺部２２ｂの張出し壁部２３ｂの中央部分を挟んだ両側に、正面板２０と直角に交差する方向に延設して設けられている。ガイドリブ２８は、正面板２０と近接する側の先端部を、両側の間隔保持面部２４の下端部後面を結ぶ線分から、容器本体１１のフランジ１８の肉厚相当分離れた位置に配置した状態で設けられている。また、ガイドリブ２８の正面板２０と近接する側の部分には、正面板２０側に向けて下方に傾斜する、傾斜面部２８ａが設けられている。
【００５０】
略Ｕ字形状部分２２の底辺部２２ｂの張出し壁部２３ｂに、傾斜面部２８ａを備えるガイドリブ２８が設けられていることにより、容器本体１１をカバー体１４’に上方から装着して、容器本体１１の主側面部１７ａとは反対側の側面部１７ｃのフランジ１８の端部（下端部）１８ａを、底辺部２２ｂの張出し壁部２３ｂの内側に当接させる際に、ガイドリブ２８の傾斜面部２８ａに沿わせるようにして、当該フランジ１８の端部１８ａを、正面板２０に向けて前方に僅かにスライド移動させることが可能になる。これによって、当該フランジ１８の端部１８ａを、両側の間隔保持面部２４の後面とガイドリブ２８の先端部との間に挟み込むように位置め決して、より安定した状態で容器本体１１をカバー体１４’に装着することが可能になる（図６参照）。
【００５１】
また、図５（ａ）、（ｂ）、図６、及び図７に示すカバー体１４’では、略Ｕ字形状部分２２の両側の立上り部２２ａの張出し壁部２３ａにおける、間隔保持面部２４よりも正面板２０側の部分は、立上り部２２ａと底辺部２２ｂとの間の弧状の角部２０ａの張出し壁部２３ｃの部分を含めて、正面板２０の側縁部に沿って形成された切欠き部３３となっている。立上り部２２ｂの張出し壁部２３ａに切欠き部３３が形成されていることにより、当該切欠き部３３によって、立上り部２２ａの張出し壁部２３ａに通気用の開口窓３１が切り欠き形成されることになる。立上り部２２ａの張出し壁部２３ａに通気用の開口窓３１が形成されることにより、開口面被覆シート１９によって覆われた容器本体１１の開口面１１ａと、カバー体１４’の正面板２０との間の空気流通用の間隔部分３０の全体に、さらに効率良く空気を流通させることが可能になる。
【００５２】
さらに、図５（ａ）、（ｂ）、図６、及び図７に示すカバー体１４’では、略Ｕ字形状部分２２の一方の立上り部２２ａにおける張出し壁部２３ａから後方に張り出して、先端部に係着凸部２５を備える板状張出し部２６が設けられている。
【００５３】
板状張出し部２６は、その基部を、一方の立上り部２２ａの張出し壁部２３ａの上部に一体接合して、基部から後方に片持ち梁形状に張り出した状態で設けられている。板状張出し部２６は、基部が一体接合された部分の張出し壁部２３ａと共に、弾性変形可能な板バネとして機能することができる。板状張出し部２６は、例えば張出し壁部２３ａと共に外側に押し拡げることで、容器本体１１をカバー体１４’に上方から装着する際に、先端の係着凸部２５が邪魔にならないようにすることができる。また外側に押し拡げた状態を解除することで、その弾性復元力により元の状態に戻ろうとして、装着された容器本体１１の係着凹部２１に先端の係着凸部２５を係着させることが可能になる。
【００５４】
板状張出し部２６の先端部に設けられた係着凸部２５は、板状張出し部２６から略直角に内側に折れ曲がって、容器本体１１の係着凹部２１の幅よりも僅かに短い突出長さで突出すると共に、斜辺部分２５ａを備える縦長の略直角台形状の突出片として設けられている。係着凸部２５は、間隔保持面部２４に後方からフランジ１８を押し当てた状態で、カバー体１４’に容器本体１１が装着された際に、当該係着凸部２５の内側面が係着凹部２１の段差係着面２１ａに係着又は近接して配置されるような位置に設けられている。
【００５５】
また、係着凸部２５は、斜辺部分２５ａを斜め上方に向けた略直角台形状の突出片となっていることにより、主側面部１７ａを上部に配設して、容器本体１１をカバー体１４’に上方から装着する際に、主側面部１７ａと隣接する、係着凹部２１が形成された一方の側面部１７ｂの当該係着凹部２１よりも下方の部分に、係着凸部２５を斜辺部分２５ａを介してスムーズに乗り上げさせて、係着凸部２５が係着凹部２１に落ち込むまで、係着凸部２５を一方の側面部１７ｂに沿って容易にスライド移動させることが可能になる。さらに、係着凸部２５は、係着凹部２１に落ち込んで係着された後は、略直角台形状の底辺部２５ｂが係着凹部２１の終端面に係止されることでストッパーとして機能して、容器本体１１がカバー体１４’から脱落するのを効果的に回避することが可能になる。
【００５６】
なお、板状張出し部２６の係着凸部２５よりもさらに先端側には、指掛けつば部３２が設けられている。指掛けつば部３２に指を係止することで、容器本体１１をカバー体１４’から取り外す際に、板状張出し部２６の張出し本体部２６ｂを外側に押し拡げて係着凸部２５の係着状態を解除する操作を、スムーズに行うことが可能になる。
【００５７】
さらに、図５（ａ）、（ｂ）、図６、及び図７に示すカバー体１４’では、張出し壁部２３の後端縁部から略Ｕ字形状部分２２の内側に折れ曲がるように立設して、縁取りフランジ部３４が、板状張出し部２６が張り出す部分を除いた、張出し壁部２３の略全周に亘って設けられている。縁取りフランジ部３４は、容器本体１１の略正方形の中空断面形状を有する凹箱部１３の外周面に沿った形状の内側縁部を備えるように設けられる。張出し壁部２３の後端縁部に縁取りフランジ部３４が設けられていることにより、カバー体１４’に容器本体１１が装着された際に、凹箱部１３の主側面部１７ａを除く側面部１７ｂ，１７ｃと、張出し壁部２３との間の隙間を埋めて、容器本体１１をカバー体１４’に、ガタツキ等が生じないようにさらに安定した状態で装着することが可能になる。
【００５８】
容器本体１１を他の形態のカバー体１４’に装着した図５（ａ）、（ｂ）に示す芳香剤容器１０’によっても、上述の図１（ａ）、（ｂ）に示す芳香剤容器１０と同様の作用効果が奏される。
【００５９】
なお、本発明は上記実施形態に限定されることなく種々の変更が可能である。例えば、カバー体の正面板や凹箱部は、略正方形の正面形状や中空断面形状を備えている必要は必ずしも無く、略矩形や略台形等、その他の種々の略４角形の正面形状や中空断面形状を備えていても良い。また、正面板は、外側に向けて凸に湾曲する湾曲板となっている必要は必ずしもなく、容器本体の開口面との間に間隔を保持できれば、平坦な正面板であっても良い。さらに、本発明の芳香剤容器は、容器本体の箱側空気孔が形成された主側面部を上部に配置して、縦置きにして用いることが通常であるが、例えば容器本体の底面部を被載置面に載置して、横置きして用いることもでできる。さらにまた、容器本体の主側面部の箱側空気孔を空気導入用の孔とし、容器本体の開口面のシート側空気孔を空気導出用の孔として、容器本体の内部に、箱側空気孔からシート側空気孔に向う空気の流れを生じさせながら揮散成分を揮散させることもできる。
【００６０】
また、正面板の周縁部に沿った略Ｕ字形状部分から後方に張り出して設けられた張出し壁部は、当該略Ｕ字形状部分の全長に亘って連続して設けられている必要は必ずしも無く、板状張出し部は、その基部を、略Ｕ字形状部分の一方の立上り部の張出し壁部の上端部に一体接合して設けられている必要は必ずしも無い。例えば、図８に示すように、張出し壁部２３’は、角部を除いた部分でその一部を切り欠いて、略Ｕ字形状部分に沿って断続的に設けることもでき、板状張出し部２６’は、その全体を張出し壁部２３’から離間させて設けることもできる。さらに、カバー体の板状張出し部の係着凸部は、略直三角形状や略直角台形状のものである必要は必ずしもなく、容器本体の係着凹部は、一方の端部を主側面部に開放させたものである必要は必ずしもない。さらにまた、カバー体の正面板は、容器本体の開口面の全体を覆っている必要は必ずしもなく、本発明の効果を奏する範囲で、正面板に孔が設けられていたり、開口面の一部分が露出していても良い。また、間隔保持面部は、立上り部の張出し壁部の内側面から内側に突出させて設ける必要は必ずしもなく、例えば正面板から後方（裏面側）に突出させて設けることもできる。
【符号の説明】
【００６１】
１０，１０’  芳香剤容器
１１  容器本体
１１ａ  開口面
１２  ビーズ状芳香剤
１３  凹箱部
１３ａ  天面開口部
１３ｂ  底面部
１４，１４’  カバー体
１５  シート側空気孔
１６  箱側空気孔
１７ａ  主側面部
１７ｂ  主側面部と隣接する側面部
１７ｃ  主側面部と反対側の側面部
１８  フランジ
１９  開口面被覆シート
２０  正面板
２０ａ  隣接する一対の角部
２０ｂ  略Ｕ字形状部分の一方の立上り部に沿った辺部
２１  係着凹部
２２  略Ｕ字形状部分
２２ａ  立上り部
２２ｂ  底辺部
２３  張出し壁部
２３ａ  略Ｕ字形状部分の立上り部の張出し壁部
２３ｂ  略Ｕ字形状部分の底辺部の張出し壁部
２３ｃ  弧状接合部の張出し壁部
２４  間隔保持プレート部（間隔保持面部）
２５  係着凸部
２６  板状張出し部
２７  スロープ部
２８  ガイドリブ
２８ａ  傾斜先端部
２９  補強リブ
３０  空気流通用の間隔部分
３１  開口窓
４０  被載置面
【図１】
0005808647.tif 000002
【図２】
0005808647.tif 000003
【図３】
0005808647.tif 000004
【図４】
0005808647.tif 000005
【図５】
0005808647.tif 000006
【図６】
0005808647.tif 000007
【図７】
0005808647.tif 000008
【図８】
0005808647.tif 000009